(57)【要約】【課題】読取ユニットの振動を抑えて、安定した画像読み取り動作を行うことができる画像読取装置、及びこれを備えた画像形成装置を得る。【解決手段】読取ユニット２４が取り付けられた支持プレート２２は、一対のレール部材に固定される両持ち梁となるため、モータ等の動作の影響で振動する。しかし、支持プレート２２の幅方向中央部には、２次振動モードで振動する支持プレート２２の振動を効果的に吸収する動吸振器４０が設けられている。そして、動吸振器４０によって支持プレート２２の振動が吸収され、読取ユニット２４の振動が抑制されるため、読取ユニット２４は安定した画像読み取り動作を行うことができる。【選択図】図１
2008299262.tif 000002
【特許請求の範囲】
【請求項１】
原稿が載せられるガラス板と、
前記ガラス板に載せられた原稿を照明して画像光を形成する光学装置と、
前記光学装置を前記ガラス板に沿って移動させる移動装置と、
前記移動手段によって前記光学装置が移動しながら形成した画像光を受光して、原稿の画像を読み取る読取ユニットと、
前記読取ユニットを支持する支持部材と、
前記支持部材に一端が固定された片持梁部材と、前記片持梁部材の他端部に取り付けられた第１質量部材と、を備える動吸振器と、
を有することを特徴とする画像読取装置。
【請求項２】
前記片持梁部材は、板金部材を折り曲げて加工され、前記支持部材に固定される固定部と、前記固定部の縁部から前記支持部材に沿って延びる梁部と、を備え、前記第１質量部材は、金属製であることを特徴とする請求項１に記載の画像読取装置。
【請求項３】
前記支持部材は、板状の支持プレートであって、加振時に前記支持プレートの振幅が大きい場所に前記動吸振器が取り付けられることを特徴とする請求項１又は２に記載の画像読取装置。
【請求項４】
前記支持部材には、前記読取ユニットへの前記画像光以外の光の入射を遮る遮光板の一端が固定され、前記片持梁部材は、前記遮光板の他端部を折り曲げて形成されたことを特徴とする請求項１に記載された画像読取装置。
【請求項５】
前記片持梁部材への前記第１質量部材の取付位置を可変する可変固定手段が設けられたことを特徴とする請求項１から４何れか１項に記載された画像読取装置。
【請求項６】
前記片持梁部材には、前記第１質量部材と所定距離をおいて第２質量部材が取り付けられることを特徴とする請求項１から５何れか１項に記載の画像読取装置。
【請求項７】
請求項１から６何れか１項に記載された画像読取装置を備えることを特徴とする画像形成装置。
【発明の詳細な説明】
【技術分野】
【０００１】
本発明は、原稿に記録されている画像を読み取る画像読取装置、及びこれを備えた画像形成装置に関する。
【背景技術】
【０００２】
特許文献１記載の画像読取装置では、原稿の画像を読み取る読取ユニット（ＣＣＤカメラ等）は、支持プレートに取り付けられており、この支持プレートは、支持プレートの両端部で一対のレール部材に固定されている。
【０００３】
また、このレール部材には、ブチルゴムと鉛シートとを接着した動吸振器（ダイナミックダンパ）が取り付けられている。
【０００４】
この構成により、レール部材に振動が加わると、レール部材に取り付けられた動吸振器が振動を吸収して支持プレートの振動を抑制する。このように、支持プレートの振動が抑制されることで、読取ユニットの振動も抑制され、安定した画像読み取り動作を行えるようになっている。
【特許文献１】特開平５−６３９１６公報
【発明の開示】
【発明が解決しようとする課題】
【０００５】
しかしながら、この画像読取装置では、読取ユニットが取り付けられた支持プレートではなく、支持プレートの両端部を支えるレール部材に動吸振器が取り付けられている。このため、レール部材の振動は抑えられても、読取ユニットがマスとなり支持プレートが振動し、これにより読取ユニットが振動することが考えられる。
【０００６】
本発明は上記事実を考慮して、読取ユニットの振動を抑えて、安定した画像読み取り動作を行うことが課題である。
【課題を解決するための手段】
【０００７】
本発明の請求項１に係る画像読取装置は、原稿が載せられるガラス板と、前記ガラス板に載せられた原稿を照明して画像光を形成する光学装置と、前記光学装置を前記ガラス板に沿って移動させる移動装置と、前記移動手段によって前記光学装置が移動しながら形成した画像光を受光して、原稿の画像を読み取る読取ユニットと、前記読取ユニットを支持する支持部材と、前記支持部材に一端が固定された片持梁部材と、前記片持梁部材の他端部に取り付けられた第１質量部材と、を備える動吸振器と、を有することを特徴とする。
【０００８】
上記構成によれば、移動装置によって光学装置が、ガラス板に沿って移動しながらガラス板に載せられた原稿を照明して画像光を形成する。また、光学装置によって形成された画像光は、読取ユニットによって読み取られる。
【０００９】
ここで、読取ユニットは、支持部材に支持されており、この支持部材には、動吸振器に設けられた片持梁部材の一端が固定され、さらに、片持梁部材の他端には第１質量部材が取り付けられている。
【００１０】
これにより、移動装置等の動作の影響で画像読取装置が加振されても、動吸振器に設けられた第１質量部材が振動することで、支持部材の振動が吸収され、これにより、読取ユニットの振動が抑えられる。このように、読取ユニットの振動を抑えることで、安定した画像読み取り動作を行うことができる。
【００１１】
また、動吸振器について、両持梁の構成を採用した場合と比較すると、片持梁の構成を採用することで、第１質量部材を少量移動させるだけで、動吸振器の固有周波数を変えることができる。
【００１２】
本発明の請求項２に係る画像読取装置は、請求項１に記載において、前記片持梁部材は、板金部材を折り曲げて加工され、前記支持部材に固定される固定部と、前記固定部の縁部から前記支持部材に沿って延びる梁部と、を備え、前記第１質量部材は、金属製であることを特徴とする。
【００１３】
上記構成によれば、片持梁部材は、板金部材を折り曲げて加工され、第１質量部材は金属製である。このため、動吸振器のリサイクル性を向上させることができる。
【００１４】
また、固定部と梁部の間隔を調整することで、梁部が上下に揺れたときに、第１質量部材が支持部材に接触するのを回避することができ、動吸振器の信頼性を向上させることができる。
【００１５】
本発明の請求項３に係る画像読取装置は、請求項１又は２に記載において、前記支持部材は、板状の支持プレートであって、加振時に前記支持プレートの振幅が大きい場所に前記動吸振器が取り付けられることを特徴とする。
【００１６】
上記構成によれば、加振時に支持プレートの振幅が大きい場所に動吸振器が取り付けられるため、動吸振器が効率よく、支持プレートの振動を吸収することができる。
【００１７】
本発明の請求項４に係る画像読取装置は、請求項１に記載において、前記支持部材には、前記読取ユニットへの前記画像光以外の光の入射を遮る遮光板の一端が固定され、前記片持梁部材は、前記遮光板の他端部を折り曲げて形成されたことを特徴とする。
【００１８】
上記構成によれば、片持梁部材は、読取ユニットへの画像光以外の光の入射を遮る遮光板の他端部を折り曲げて形成されている。このため、片持梁部材を別途支持部材に取り付ける場合と比較して部品点数を減らすことができる。
【００１９】
本発明の請求項５に係る画層読取装置は、請求項１から４何れか１項に記載において、前記片持梁部材への前記第１質量部材の取付位置を可変する可変固定手段が設けられたことを特徴とする。
【００２０】
上記構成によると、可変固定手段によって、片持梁部材への第１質量部材の取付位置を変更することができる。これにより、片持梁部材のばね定数を変えて、動吸振器の振動特性を変えることができる。
【００２１】
本発明の請求項６に係る画像読取装置は、請求項１から５何れか１項記載において、前記片持梁部材には、前記第１質量部材と所定距離をおいて第２質量部材が取り付けられることを特徴とする。
【００２２】
上記構成によれば、第２質量部材が、第１質量部材と所定距離をおいて片持梁部材に取り付けられている。
【００２３】
第１質量部材と第２質量部材が同位相で振動する場合と、第１質量部材と第２質量部材が逆位相で振動する場合とで、動吸振器は２つの固有振動数を有することができる。
【００２４】
本発明の請求項７に係る画像形成装置は、請求項１から６何れか１項に記載された画像読取装置を備えることを特徴とする。
【００２５】
上記構成によれば、画像形成装置は、請求項１乃至６何れか１項に記載の画像読取装置を備えているため、読取ユニットの安定した画像読み取り動作によって、質の高い出力画像を得ることができる。
【発明の効果】
【００２６】
本発明によれば、読取ユニットの振動を抑えて、安定した画像読み取り動作を行うことができる。
【発明を実施するための最良の形態】
【００２７】
本発明の第１実施形態に係る画像読取装置１０が採用された画像形成装置１００について図１〜図７に従って説明する。
【００２８】
図７に示されるように、画像形成装置１００の筐体１０２内の下部には、給紙カセット８２が配置されており、給紙カセット８２には、画像形成装置１００の画像形成部１１１に供給されるシート材Ｐが積載されている。
【００２９】
さらに、給紙カセット８２には、シート材Ｐが載るボトムプレート８０が設けられており、画像形成部１１１にシート材Ｐを給紙する際には、ボトムプレート８０は、昇降手段（図示省略）によって、上方に移動するようになっている。そして、ボトムプレート８０に載せられた最上部のシート材Ｐをピックアップロール１３２に押し当てる構成となっている。さらに、給紙カセット８２を筐体１０２から引き出すとボトムプレート８０は、昇降手段によって、下方へ移動し、シート材Ｐを給紙カセット８２に収納することができる構成となっている。
【００３０】
また、画像形成部１１１へシート材Ｐを送り出す時は、シート材Ｐは、ピックアップロール１３２によって順次取り出され、回転駆動する給紙ロール１２２と分離ロール８４によって、一枚ずつ搬送されるようになっている。
【００３１】
さらに、筐体１０２内の所定位置には、搬送ロール１０６が配置されており、シート材Ｐを搬送する搬送経路１０８を構成している。また、搬送経路１０８の両側に配置されたガイド部材１２８はシート材Ｐを搬送経路１０８に沿って案内するようになっている。なお、以下において、単に「上流」、「下流」というときは、シート材Ｐの搬送方向の上流及び下流をそれぞれ意味するものとする。
【００３２】
搬送経路１０８の途中には、感光体ドラム１１０がシート材Ｐに接触するように配置されており、シート材Ｐに接触しつつ回転するようになっている。感光体ドラム１１０の表面は、図示しない帯電装置で帯電された後、露光装置１１２によって画像情報に応じたレーザービームが照射されて静電潜像が形成される。そしてこの静電潜像に対し現像装置１１４からトナーが供給され、静電潜像はトナー像として可視化される。
【００３３】
画像形成部１１１は、感光体ドラム１１０と転写ロール１３０とで構成されており、感光体ドラム１１０は、転写ロール１３０との間でシート材Ｐを挟持して、シート材Ｐに密着する。これにより、感光体ドラム１１０上のトナー像がシート材Ｐに転写され、シート材Ｐに画像が形成されるようになっている。
【００３４】
さらに、感光体ドラム１１０の下流側には、定着装置１１６が配置されている。この定着装置１１６は、内部にヒータを備えた加熱ロール１１６Ｈと、加熱ロール１１６Ｈに圧接される加圧ロール１１６Ｎとを備えている。そして、これら２つのロールでシート材Ｐを挟持搬送することでシート材Ｐを加熱圧着し、シート材Ｐのトナー像をシート材Ｐに定着させるようになっている。
【００３５】
定着装置１１６の下流側には、排出ロール１１８が配置されており、トナー像が定着されたシート材Ｐは、排出ロール１１８によって筐体１０２の上方に設けられた排出トレイ１２６へ排出される構成となっている。
【００３６】
また、排出トレイ１２６の上方には、原稿シート材Ｐの画像情報を読み取る画像読取装置１０が設けられており、画像読取装置１０は、原稿シート材Ｐが載せられるガラス板としてのプラテンガラス８６を備えている。
【００３７】
このプラテンガラス８６の上側には、開閉可能にプラテンガラス８６を覆う原稿押圧部材としてのプラテンカバー８８が設けられている。
【００３８】
さらに、プラテンガラス８６が嵌め込まれた画像読取装置本体１０Ａには、プラテンガラス８６に載せられた原稿シート材Ｐの画像情報を読み取る読取ユニット２４等が設けられている。なお、画像読取装置１０については詳細を後述する。
【００３９】
上記構成による画像形成装置１００では、次のようにして画像が形成される。
【００４０】
まず、電圧が印加された図示しない帯電器は、感光体ドラム１１０の表面を予定の電位で一様にマイナス帯電する。
【００４１】
続いて、画像読取装置１０によって読み取られた画像情報に基づいて露光装置１１２が帯電された感光体ドラム１１０の上に静電潜像を形成する。
【００４２】
すなわち、図示しない制御装置から供給される画像情報に基づき、露光装置１１２が発光するレーザービームをオン・オフすることによって画像情報に対応した静電潜像が感光体ドラム１１０上に形成される。さらに、この静電潜像は、現像装置１１４から供給されるトナーによってトナー像として可視化される。
【００４３】
そこで、給紙カセット８２に収納されたシート材Ｐが、ピックアップロール１３２によって順次取り出され、回転駆動する給紙ロール１２２と分離ロール８４によって、一枚ずつ搬送経路１０８に送り出される。さらに、シート材Ｐは、搬送ロール１０６によって挟持搬送されて感光体ドラム１１０と転写ロール１３０の間の画像形成部１１１を通り、トナー像がシート材Ｐに転写される。この転写されたトナー像は、定着装置１１６に備えられた加熱ロール１１６Ｈと加圧ロール１１６Ｎの間を通過することでシート材Ｐに定着され，シート材Ｐは排出ロール１１８によって排出トレイ１２６に排出される。
【００４４】
次に画像読取装置１０について詳細に説明する。
【００４５】
図４に示されるように、画像読取装置本体１０Ａ（図７参照）に嵌められたプラテンガラス８６の上には、原稿面を下に向けた原稿シート材Ｐが載置される。また、プラテンガラス８６の下方には一対の案内部材としてのレール部材１２が図示せぬフレーム部材に取り付けられている。このレール部材１２はプラテンガラス８６にそってプラテンガラス８６の長手方向（図４に示す矢印Ａ方向）に延びており、断面形状は下方が開いた略コ字形とされている。
【００４６】
原稿シート材Ｐを照明して画像光Ｊを形成する光学装置としての照明ユニット１４とミラーユニット１６は、一対のレール部材１２上を矢印Ｆ，Ｇ方向に往復移動できるように、その両端部をコロ等の転動体を介してレール部材１２の案内面（レール部材１２の上面）に保持されている。さらに、レール部材１２に沿って照明ユニット１４及びミラーユニット１６を矢印Ｆ，Ｇ方向に往復移動させる移動装置としのモータ３０が設けられている。
【００４７】
また、照明ユニット１４には、原稿シート材Ｐの画像面にプラテンガラス８６を通して光を当てる光源（図示省略）と原稿シート材Ｐから反射された画像光Ｊをミラーユニット１６へ向けて反射させるミラー１５が設けられている。
【００４８】
さらに、ミラーユニット１６は、照明ユニット１４からの画像光Ｊを後述する読取ユニット２４へ反射するミラー１８及びミラー２０を備えている。
【００４９】
一方、レール部材１２の端部であって、一対のレール部材１２の対向する縁部には、対向するレール部材１２に向って延びるフランジ部３４が設けられており、このフランジ部３４の上に板状の支持プレート２２が一対のレール部材１２に跨って取り付けられている。
【００５０】
この支持プレート２２の上面には、ミラーユニット１６から反射された画像光Ｊを受光して原稿シート材Ｐの画像を読み取る読取ユニット２４が、支持プレート２２の幅方向（矢印Ｃ方向）中央に取り付けられている。また、読取ユニット２４には、画像光Ｊを電気信号に変換する光電変換素子２６と、画像光Ｊを光電変換素子２６に結像させる結像レンズ２８が設けられている。
【００５１】
さらに、光電変換素子２６によって変換された電気信号は、読取回路基板（図示省略）を介して露光装置１１２（図７参照）へ画像情報として送られるようになっている。
【００５２】
また、結像レンズ２８の画像光入射側には、矩形状の開口部３２Ａを有する板状の遮光板３２が配置され、遮光板３２の一端は支持プレート２２に固定されている。
【００５３】
さらに、図１に示されるように、支持プレート２２を挟んで光電変換素子２６と対向する位置には、支持プレート２２の振動を吸収する動吸振器４０が支持プレート２２の幅方向（図４に示す矢印Ｃ方向）中央部に設けられている。
【００５４】
動吸振器４０は、片持梁部材４２と、金属製の矩形状部材である質量部材３６を備えている。また、片持梁部材４２は、板金部材を折り曲げて加工されており、支持プレート２２にスクリュー４６によって固定されるＬ字状の固定部４２Ａと、固定部４２Ａの縁部から支持プレート２２に沿って延びる梁部４２Ｂを備えている。
【００５５】
また、図２に示されるように、梁部４２Ｂには、質量部材３６を梁部４２Ｂへ固定するスクリュー５０が通る長穴４８が梁部４２Ｂの延方向（図２で示す矢印Ｂ方向）に沿って設けられており、質量部材３６には、スクリュー５０が締め付けられるネジ孔（図示省略）が設けられている。
【００５６】
さらに、質量部材３６には、矢印Ｂ方向に沿って所定の間隔で並ぶ複数本のケガキ線５２が設けられている。
【００５７】
つまり、長穴４８を通して締め付けられるスクリュー５０の締め付け位置を長穴４８内で移動させることで、質量部材３６の取付位置を変えることができ、さらに、所定のケガキ線５２を梁部４２Ｂの縁部５４と合わせることで片持梁部材４２の所定の位置に質量部材３６を取り付けることができるようになっている。
【００５８】
本実施形態では、質量部材３６を所定の位置に取り付けることで、動吸振器４０の固有周波数を、２次振動モード（図６（Ｂ）参照）で振動する支持プレート２２の振動を効果的に吸収できるような周波数にしている。つまり、支持プレート２２が２次振動モードで振動すると、動吸振器４０に設けられた質量部材３６が振動して、動吸振器４０は支持プレート２２の振動を吸収できるようになっている。
【００５９】
図６（Ｂ）の２点鎖線に示されるように、２次振動モードとは、支持プレート２２の光電変換素子２６が取り付けられる縁部２２Ａが山、結像レンズ２８が取り付けられる縁部２２Ｂが谷となる振動モードであって、さらに、縁部２２Ａのと縁部２２Ｂが逆位相となる振動をいう。
【００６０】
また、１次振動モードとは、図６（Ａ）の２点鎖線に示されるように、縁部２２Ａと縁部２２Ｂが山谷になるような振動であって、さらに、縁部２２Ａと縁部２２Ｂが同位相となる振動をいう。
【００６１】
つまり、１次振動モード及び２次振動モードは、周波数が低く、振幅が大きく、さらに、読取ユニット２４の取付位置が振動の腹になるため、画質に大きな影響を与える振動モードとなる。
【００６２】
なお、図６（Ａ）（Ｂ）については、縁部２２Ａ及び縁部２２Ｂの動きを示すため、読取ユニット２４等を省略して記載している。
【００６３】
次に画像読取装置１０が画像を読み取る読取動作について説明する。        
【００６４】
図４に示されるように、ユーザーがプラテンガラス８６の上に原稿シート材Ｐを載せて原稿読取スイッチを押すと、照明ユニット１４の光源が、原稿シート材Ｐの原稿面を照明するとともに、照明ユニット１４は、レール部材１２上をモータ３０の駆動力でＨmm／sec の速度で矢印Ｆ方向に移動する。さらにミラーユニット１６は、レール部材１２上を０．５×Ｈmm／sec の速度で同方向に移動し、図５に示されるように、照明ユニット１４とミラーユニット１６は、互いの距離を詰めてレール部材１２の端部近傍まで移動する。
【００６５】
ここで、照明ユニット１４の照明によって形成された画像光Ｊは、照明ユニット１４に備えられたミラー１５によって、ミラーユニット１６に向けて反射される。さらに、画像光Ｊは、ミラーユニット１６に設けられたミラー１８によってミラー２０へ向って下方へ折り返される。折り返された画像光Ｊは、ミラー２０によって読取ユニット２４に向けて反射され、遮光板３２の開口部３２Ａを通って結像レンズ２８に導かれ、結像レンズ２８によって光電変換素子２６に結像される。
【００６６】
結像レンズ２８によって結像された画像光Ｊは、光電変換素子２６によって電気信号に変換され、変換された電気信号は、読取回路基板（図示省略）を介して露光装置１１２（図７参照）へ画像情報として送られる。
【００６７】
なお、光電変換素子２６が原稿シート材Ｐの画像光Ｊを全て受光すると、照明ユニット１４、及びミラーユニット１６は、モータ３０の駆動力で矢印Ｇ方向へ移動して図４に示す初期位置に復帰して次回の読取動作に備える。
【００６８】
ここで、読取ユニット２４が取り付けられた支持プレート２２は、一対のレール部材１２に固定される両持ち梁となるため、モータ３０の動作の影響や、画像形成装置１００（図７参照）に設けられた駆動部材の動作の影響を受けて、振動することがある。
【００６９】
特に、読取ユニット２４が配置される支持プレート２２の幅方向中央部が振動の腹になる低次の振動の場合には、読取ユニット２４が、安定した画像読み取り動作を行えないことが考えられる。
【００７０】
しかし、本実施形態では、図１に示されるように、支持プレート２２の幅方向中央部には、２次振動モード（図６（Ｂ）参照）で振動する支持プレート２２の振動を効果的に吸収する動吸振器４０が設けられている。
【００７１】
本願出願人は、実験で、支持プレート２２の幅方向中央部であって、光電変換素子２６の近傍に、２次振動モードでの支持プレート２２の振動を吸収する動吸振器４０を取付け、支持プレート２２の振動等を確認した。
【００７２】
具体的には、実験に用いた支持プレート２２の２次振動モードの等価質量が約９００ｇであったため、質量部材３６は質量比０．１（９０ｇ）と設定した。
【００７３】
図３（Ａ）の点線に示されるように、５０〜１５０Ｈｚの周波数で画像読取装置１０を加振すると、動吸振器４０が無い状態では、結像レンズ２８の取付部近傍で、７５Ｈｚ付近が支持プレート２２の１次振動モードのピークとなり、１０５Ｈｚ付近が支持プレート２２の２次振動モードのピークとなる。
【００７４】
同様に、図３（Ｂ）の点線に示されるように、５０〜１５０Ｈｚの周波数で画像読取装置１０を加振すると、動吸振器４０が無い状態では、光電変換素子２６の取付部近傍で、７５Ｈｚ付近が支持プレート２２の１次振動モードのピークとなり、１０５Ｈｚ付近が支持プレート２２の２次振動モードのピークとなる。
【００７５】
しかし、動吸振器４０を取り付けた後の結像レンズ２８の取付部近傍及び光電変換素子２６の取付部近傍の振動を確認すると、図３（Ａ）（Ｂ）の実線で示されるように、２次振動モードのピークが低下していることがわかる。
【００７６】
また、動吸振器４０の有無による画像信号の乱れについても確認したが、動吸振器４０を取り付けない場合、画像読取位置が最大１．４画素（＠６００ｄｐｉ）ずれていたのに対し、動吸振器４０を取り付けることで、０．７画素のずれとなった。
【００７７】
以上の実験結果でも分かるように、動吸振器４０によって支持プレート２２の振動が吸収され、読取ユニット２４の振動が抑制されるため、読取ユニット２４は安定した画像読み取り動作を行うことができる。
【００７８】
また、動吸振器４０を構成する片持梁部材４２と質量部材３６は、スクリュー４６、及びスクリュー５０で固定されているため、動吸振器４０の組付け性、及び分解性を向上させることができる。
【００７９】
また、動吸振器４０を構成する片持梁部材４２と質量部材３６は、金属材料で形成されているため、低コストとすることができ、さらに、リサイクル性を向上させることができる。
【００８０】
また、支持プレート２２の固有振動数は、支持プレート２２に取り付ける原稿検知センサ（図示省略）や光電変換素子２６の重量等によって変化する。しかし、図２に示すスクリュー５０を緩め、質量部材３６の位置をケガキ線５２の位置を確認しながら変えることで、動吸振器４０の固有周波数を簡単に変えることができる。このため、画像読取装置の仕様に合わせて数種類の動吸振器を用意することなく、質量部材３６の取付位置を変えるだけで、動吸振器４０の固有周波数を画像読取装置毎に変えることができる。
【００８１】
また、動吸振器４０について、両持梁の構成を採用した場合と比較すると、片持梁の構成を採用することで、質量部材３６を少量移動させるだけで、動吸振器４０の固有周波数を変えることができる。
【００８２】
また、確実な制振効果が要求される場合、例えば、結像レンズ２８の焦点位置調整などによって支持プレート２２の固有振動数が変化するのに対応するため、個別に支持プレート２２の固有振動数を加速度センサなどを使って測定し、結果に応じて動吸振器４０の固有周波数を調整する必要がある。この場合も、質量部材３６の取り付け位置を変えることで、最適な制振効果を得るように動吸振器４０の固有周波数を調整することができる。
【００８３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、支持プレート２２の２次振動モードの振動を効果的に吸収できるように動吸振器４０の固有周波数を設定したが、これに替えて、支持プレート２２の１次振動モード等の低次振動モードの振動を効果的に吸収できるように動吸振器の固有周波数を設定してもよい。
【００８４】
また、上記実施形態では、支持プレート２２と質量部材３６の間に特に何も設定しなかったが、減衰要素として弾性部材等を設定して、制振効果を高めてもよい。
【００８５】
次に、本発明の第２実施形態に係る画像読取装置１０について図８（Ａ）（Ｂ）に従って説明する。
【００８６】
なお、第１実施形態と同一部材については、同一符号を付してその説明を省略する。図８に示されるように、この実施形態では第１実施形態のように、質量部材３６にはケガキ線５２は設けられておらず、それに替えて、質量部材３６には梁部４２Ｂ側に凸となるエンボス６０が設けられている。
【００８７】
さらに、片持梁部材４２の梁部４２Ｂには、質量部材３６の移動可能方向に沿ってエンボス６０が嵌る円孔６２が複数個設けられている。
【００８８】
質量部材３６を移動させる場合は、スクリュー５０を緩めて質量部材３６を移動させ、一の円孔６２に嵌められていたエンボス６０を他の円孔６２に嵌めてスクリュー５０を再度締め込むことで、所定の位置に質量部材３６を移動させることができる。
【００８９】
次に、本発明の第３実施形態に係る画像読取装置１０について図９に従って説明する。
【００９０】
なお、第１実施形態と同一部材については、同一符号を付してその説明を省略する。図９に示されるように、この実施形態では第１実施形態のように、動吸振器４０の片持梁部材４２は、支持プレート２２の下面に取り付けられておらず、それに替えて、動吸振器６４の片持梁部材６６は、遮光板３２の上端を折り曲げて形成されている。
【００９１】
これにより、片持梁部材を単独で設定する場合と比較して、部品点数を削減することができる。
【００９２】
次に、本発明の第４実施形態に係る画像読取装置１０について図１０、図１１に従って説明する。
【００９３】
なお、第１実施形態と同一部材については、同一符号を付してその説明を省略する。図１０（Ａ）に示されるように、この実施形態では第１実施形態と違い、動吸振器７０の片持梁部材７２には、所定の間隔を設けて、二つの質量部材７４、質量部材７６が梁部７２Ｂに取り付けられている。
【００９４】
この構成より、図１０（Ｂ）（Ｃ）に示されるように、質量部材７４と質量部材７６が同位相（質量部材７４と質量部材７６が同時に上下に振動するモード）で振動する場合と、図１１（Ｂ）（Ｃ）に示されるように、質量部材７４と質量部材７６が逆位相（質量部材７４が上に移動すると質量部材７６が下に移動するような振動するモード）で振動する場合とで、動吸振器７０は複数の固有振動数をもつことができる。
【００９５】
つまり、１つの動吸振器７０で２つの制振周波数を有することができる。
【図面の簡単な説明】
【００９６】
【図１】本発明の第１実施形態に係る画像読取装置の読取ユニット近傍示した側面図である。
【図２】本発明の第１実施形態に係る画像読取装置の動吸振器を示した斜視図である。
【図３】（Ａ）本発明の第１実施形態に係る画像読取装置において、画像読取装置を加振したときの結像レンズ近傍の振幅を動吸振器の有無で比較した図面である。（Ｂ）本発明の第１実施形態に係る画像読取装置において、画像読取装置を加振したときの光電変換素子近傍の振幅を動吸振器の有無で比較した図面である。
【図４】本発明の第１実施形態に係る画像読取装置の斜視図である。
【図５】本発明の第１実施形態に係る画像読取装置の斜視図である。
【図６】（Ａ）本発明の第１実施形態に係る画像読取装置を加振した場合に、支持プレートが１次振動モードで振動している状態を示した斜視図である。（Ｂ）本発明の第１実施形態に係る画像読取装置を加振した場合に、支持プレートが２次振動モードで振動している状態を示した斜視図である。
【図７】本発明の第１実施形態に係る画像読取装置が採用された画像形成装置の概略構成図である。
【図８】（Ａ）本発明の第２実施形態に係る画像読取装置の動吸振器を示した斜視図である。（Ｂ）本発明の第２実施形態に係る画像読取装置の動吸振器を示した断面図である。
【図９】本発明の第３実施形態に係る画像読取装置の読取ユニット近傍を示した側面図である。
【図１０】（Ａ）本発明の第４実施形態に係る画像読取装置の動吸振器の静止状態を示した斜視図である。（Ｂ）本発明の第４実施形態に係る画像読取装置の動吸振器に設けられた質量部材が振動している状態を示した斜視図である。（Ｃ）本発明の第４実施形態に係る画像読取装置の動吸振器に設けられた質量部材が振動している状態を示した斜視図である。
【図１１】（Ａ）本発明の第４実施形態に係る画像読取装置の動吸振器の静止状態を示した斜視図である。（Ｂ）本発明の第４実施形態に係る画像読取装置の動吸振器に設けられた質量部材が振動している状態を示した斜視図である。（Ｃ）本発明の第４実施形態に係る画像読取装置の動吸振器に設けられた質量部材が振動している状態を示した斜視図である。
【符号の説明】
【００９７】
１０    画像読取装置
１４    照明ユニット（光学装置）
１６    ミラーユニット（光学装置）
２２    支持プレート（支持部材）
２４    読取ユニット
３０    モータ（移動装置）
３２    遮光板
３６    質量部材（第１質量部材）
４０    動吸振器
４２Ａ  固定部
４２    片持梁部材
４２Ｂ  梁部
４８    長穴（可変固定手段）
５０    スクリュー（可変固定手段）
６４    動吸振器
６６    片持梁部材
７０    動吸振器
７２    片持梁部材
７２Ｂ  梁部
７４    質量部材（第１質量部材）
７６    質量部材（第２質量部材）
８６    プラテンガラス（ガラス板）
１００  画像形成装置
【図１】
2008299262.tif 000003
【図２】
2008299262.tif 000004
【図３】
2008299262.tif 000005
【図４】
2008299262.tif 000006
【図５】
2008299262.tif 000007
【図６】
2008299262.tif 000008
【図７】
2008299262.tif 000009
【図８】
2008299262.tif 000010
【図９】
2008299262.tif 000011
【図１０】
2008299262.tif 000012
【図１１】
2008299262.tif 000013